(57)【要約】【課題】接写用補助レンズを別体で扱う必要が無く、且つ簡単な操作により接写を可能とするカメラ部を備える携帯端末装置を提供する。【解決手段】携帯電話機等の円筒状のヒンジ部等に設けたカメラ部を内蔵する円筒部に、接写用補助レンズ部を回転可能に取り付ける。また、カメラ部を内蔵する円筒部の回転機構と、その側面に設けた接写用補助レンズ部の回転機構とにより、両者を相互に回転可能にする。接写時に円筒部の開口の撮像素子の前面に接写用補助レンズが位置するように接写用補助レンズ部を回動する。【選択図】　　　　図２
2004129151.tif 000002
【特許請求の範囲】
【請求項１】
カメラモジュールを内蔵し、外周面に前記カメラモジュールのカメラレンズと対向する光学的な開口を有する円筒部を備える携帯端末装置の接写用補助レンズ取り付け構造であって、前記円筒部の外周面に沿って回動可能に設けられた少なくとも１つの回動操作部と、前記回動操作部に設けられた保持部材と、前記保持部材に保持された接写用補助レンズと、を備えることを特徴とする携帯端末装置の接写用補助レンズ取り付け構造。
【請求項２】
前記円筒部は、携帯端末装置を構成する第１及び第２の筺体を折り畳み可能に連結するヒンジ部に設けられ、該ヒンジ部の回動軸に対して回動可能であることを特徴とする請求項１記載の携帯端末装置の接写用補助レンズ取り付け構造。
【請求項３】
前記回動操作部は、前記円筒部の開口の両側にそれぞれ設けられ、前記保持部材は、前記回動操作部の間に設けられていることを特徴とする請求項１又は２記載の携帯端末装置の接写用補助レンズ取り付け構造。
【請求項４】
前記回動操作部は、前記円筒部の外周面に沿ったリング状の肉厚部でなることを特徴とする請求項３記載の携帯端末装置の接写用補助レンズ取り付け構造。
【請求項５】
前記円筒部は、ヒンジ部の一端側より着脱可能であることを特徴とする請求項１ないし４の何れか１つの請求項記載の携帯端末装置の接写用補助レンズ取り付け構造。
【請求項６】
前記円筒部は、ヒンジ部の中央部に位置することを特徴とする請求項１ないし４の何れか１つの請求項記載の携帯端末装置の接写用補助レンズ取り付け構造。
【請求項７】
前記回動操作部に設けられた保持部材と前記保持部材に保持された接写用補助レンズを複数個備えることを特徴とする請求項１ないし６の何れか１つの請求項記載の携帯端末装置の接写用補助レンズ取り付け構造。
【発明の詳細な説明】
【０００１】
【従来の技術】
２つの筺体からなり折畳み構造を有する携帯電話機等において、折畳み部分のヒンジ構造部にカメラモジュールを内蔵させ又は取り付けて、画像を撮影することを可能に構成したものが提案されている（例えば、特許文献１〜３参照）。
【０００２】
図７は、前記特許文献３に記載された携帯電話機を示す図である。通常の撮影範囲の被写体を撮像するレンズを使用するカメラ部１００を内蔵する携帯電話機において、接写画像を前記撮像素子上に結ぶための接写用レンズ２００をネジの螺合により取り付けることを可能に構成している。
【０００３】
【特許文献１】
特開２０００−２５３１２４号公報
【特許文献２】
特開２００１−２４５２６６号公報
【特許文献３】
実用新案登録第３０８５４７６号
【０００４】
【発明が解決しようとする課題】
携帯電話機等に搭載されているカメラは、通常、数１０ｃｍ〜遠距離に焦点が合うような焦点距離の設定が行われているが、かかるカメラにより、数ｃｍの近距離の被写体等を接写しようとした場合、ピントが合わないのでピントボケが発生し、正常な画像の取り込みが不可能となる。
【０００５】
このような携帯電話機により接写を可能とするためには、ピント調整の手段を付加することが必要となり、前記特許文献３記載の携帯電話機では、カメラ部１００の雌ネジに接写用レンズ２００をその雄ネジを螺合して取り付けるように構成している。
【０００６】
しかしながら、このようなピント調整手段は、別体の接写用レンズ体を取り付けることから接写用レンズ体自体の持ち運びが必要になり、また小さい接写用レンズの着脱等の操作もやっかいであるとともに、接写用レンズ体の取り付け後は、携帯電話機のヒンジ構造部に接写用レンズ体が突起部として突出し、この突起部が携帯電話機のヒンジ部の折り畳み操作等に支障を来すという難点がある。
【０００７】
（目的）
本発明の目的は、接写用レンズを別体で扱う必要が無く、且つ簡単な操作により接写を可能とする携帯端末装置を提供することにある。
本発明の目的は、接写用レンズを別体で扱う必要が無く、且つ簡単な操作により接写を可能とする筺体の折り畳み構造の携帯端末装置を提供することにある。
【０００８】
【課題を解決するための手段】
本発明の携帯端末装置の接写用補助レンズ取り付け構造は、カメラモジュールを内蔵し、外周面に前記カメラモジュールのカメラレンズと対向する光学的な開口を有する円筒部（例えば図１の４）を備える携帯端末装置の接写用補助レンズ取り付け構造であって、前記円筒部の外周面に沿って回動可能に設けられた少なくとも１つの回動操作部（例えば図２の７１、７２）と、前記回動操作部に設けられた保持部材（例えば図２の７３）と、前記保持部材に保持された接写用補助レンズ（例えば図２の８）と、を備えることを特徴とする。前記円筒部は、携帯端末装置を構成する第１及び第２の筺体（例えば図１の２、３）を折り畳み可能に連結するヒンジ部（例えば図１の３）に設けられ、該ヒンジ部の回動軸に対して回動可能であることを特徴とする。
【０００９】
また、前記回動操作部は、前記円筒部の開口の両側にそれぞれ設けられ、前記保持部材は、前記回動操作部の間に設けられていることを特徴とし、前記回動操作部は、前記円筒部の外周面に沿ったリング状の肉厚部（例えば図２の７１、７２）でなることを特徴とする。
【００１０】
また、前記円筒部は、ヒンジ部の一端側より着脱可能（例えば図５）であることを特徴とし、又は前記円筒部は、ヒンジ部の中央部（例えば図４）に位置することを特徴とする。
更に、前記回動操作部に設けられた保持部材と前記保持部材に保持された接写用補助レンズを複数個備える（例えば図６）ことを特徴とする。
【００１１】
（作用）
携帯端末装置の円筒状のヒンジ部等に設けたカメラを内蔵する円筒部に、接写用補助レンズを回転可能に保持部材により取り付ける。また、カメラを内蔵する円筒部の回転機構と、その側面に設けた保持部材により保持した接写用補助レンズの回転機構とにより、両者を互いに回転可能にする。つまり、携帯端末装置のカメラと組み合わせて使用する接写用補助レンズの取り付け構造において、回転可能なカメラ部の回転構造に合わせ、接写用補助レンズも回転可能な構造とし、通常撮影時と接写撮影時にて簡単に接写用補助レンズを回転させてカメラレンズの前に配置できるようにする。
【００１２】
【発明の実施の形態】
次に、本発明の携帯端末装置の接写用補助レンズ取り付け構造の実施の形態として、筺体構造の一例として折り畳み構造の携帯電話機への適用例について、以下、図面を参照して詳細に説明する。
（第１の実施の形態）
（構成の説明）
図１は、本発明の接写用補助レンズ取り付け構造の取り付け対象とする携帯電話機の構成を示す図である。本携帯電話機は、キー入力部を備える第１の筺体部１と、液晶表示パネル（ＬＣＤ）を備える第２の筺体部２とからなり、両筺体部１、２は、互いに筺体の端部で回動可能にヒンジ結合する略円筒状のヒンジ部３を有し、更に、ヒンジ部３における携帯電話機の１つの側壁の側に、内部にカメラ部５を内蔵し、ヒンジ部３の一部としての外観を成す円筒部４を備える。また、前記円筒部４は、ヒンジ部３により第１及び第２の筺体部１、２を回動する回動軸（ヒンジ軸）と同一回動軸の回りに回動可能に前記ヒンジ部３と結合されており、円筒部４の前記側壁側には回動の操作のためのダイヤル状の操作部６を備える。
【００１３】
図２は、図１に示す携帯電話機に対し接写用補助レンズを取り付けた本実施の形態の構成を示す図であり、図２（ａ）は円筒部とその外表面に設けた接写用補助レンズ部の構造、図２（ｂ）は円筒部のカメラ部の光学的な開口部を含む断面（Ａ―Ａ断面）の構造である。
【００１４】
接写用補助レンズ部７は、図２（ａ）に示すように、円筒部４におけるカメラモジュールのレンズに対向する位置の光学的な開口のヒンジ軸方向の両側に位置し、該円筒部４の側面にヒンジ軸の回り（円筒部４の円筒の円周方向）に摺動可能な円筒部の半径方向のリング状の肉厚部でなる回動操作部７１、７２と、前記回動操作部７１、７２の間に結合され、カメラモジュールのレンズの位置に一致する位置に開口を有し、該開口に接写用補助レンズ８を保持した湾曲保持部７３から構成される。
【００１５】
円筒部４とカメラ部５との配置構造は、図２（ｂ）に示すように、円筒部４の側面に円形の開口を有し、気密用等の透明なカバー５１により光学的な開口を形成し、また、カメラモジュール５４は、カメラ筺体内に通常の撮影距離の範囲に設定した１ないし複数のレンズ５２とその焦点位置に配置した撮像素子（カメラセンサー）５３とから構成され、前記レンズ系軸は、円筒部４の光学的な開口部に中心に位置するように配置されている。
【００１６】
以上のように、本実施の形態の携帯電話機では、回転可能なカメラ部５を有する円筒部４に対し、該円筒部４とは相対的に回転可能な接写用補助レンズ部７により接写用補助レンズ８をカメラ部５を有する円筒部４の外周に設置する。接写用補助レンズ８は、接写の為にのみ必要な特殊レンズとし、接写する場合は手動により回動操作部７１、７２を操作し、円筒部４に対して接写用補助レンズ部７を回転させ、接写用補助レンズ８をカメラ部５の光学的な開口の位置に配置することにより接写を可能とする。
【００１７】
（動作の説明）
図３は、本実施の形態の携帯電話機により被写体を撮影する際の操作例を示す図であり、図３（ａ）は通常の被写体の撮影時、図３（ｂ）は接近した被写体の撮影時のそれぞれ接写用補助レンズ部７の位置を示す。
【００１８】
本実施の形態の携帯電話機の使用方法は、例えば折り畳まれた状態から２つの筺体１、２を開いた後、ダイヤル状の操作部６を摘んで左右（前後）に回転させ、カメラ部５の開口の方向を携帯電話機の筺体の表面（キー入力側、ＬＣＤ側）又は背面側に任意の角度で向ける調整を行い、更に接写用補助レンズ部７の回動操作部７１、７２を操作して円筒部４の円周方向に回転、摺動させることにより、カメラ部５から被写体までの距離に応じて接写用補助レンズ８の使用／不使用の選択を行う。
【００１９】
携帯電話機に搭載されているカメラモジュール５４は、数１０ｃｍ〜遠距離に焦点が合うような焦点距離の設定を行っており、携帯電話機の周囲の人物、風景等を撮影する場合には、図３（ａ）のように接写用補助レンズ部７の接写用補助レンズ８をカメラ部５の開口部からずらして配置した状態でシャッター操作を行う。また、図３（ａ）の状態で、数ｃｍ程度の近距離の被写体等を接写しようとした場合は、ピントが合わずピントボケが発生し正常な画像が取り込めないので、図３（ｂ）に示すように接写用補助レンズ部７をカメラ部５の開口部に一致させ、接写用補助レンズ８が撮像素子の前面に位置するように調整した上でシャッター操作を行う。
【００２０】
以上により数１０ｃｍ以上での被写体の通常の撮影に対して、撮像素子（カメラセンサー）前に接写用補助レンズを設置することにより、５ｃｍくらいの接写時でもピントボケを防止でき、文字認識、バーコード認識等をも可能となる。
【００２１】
（第２の実施の形態）
以上説明した実施の形態では、ヒンジ部の筺体の側壁側の位置に設けた円筒部にカメラ部を備えた携帯電話機を対象とする例を示したが、カメラ部を備える円筒部はヒンジ部の中央位置に配置したヒンジ構造又は着脱可能な構造でも適用可能である。
【００２２】
図４は、カメラ部を備える円筒部をヒンジ部の中央部に配置したヒンジ構造を有する携帯電話機の実施の形態を示す図である。本実施の形態は、同図の円筒部の拡大図からわかるように、カメラ部１０を備える円筒部１１が左右のヒンジ部１２、１３の間に設けられ、ヒンジ部１２、１３のヒンジ軸と同じ軸の回りに回動可能にヒンジ部１２、１３と結合され、円筒部１１の両端側には、円筒部１１の回動操作用のダイヤル状の操作部１４、１５を備える。更に、円筒部１１の各操作部１４、１５の内側の外周面に、図２に示すものと同様に、円筒部１１に対して回動可能な２つのリング状の回動操作部１６、１７及びその間の接写用レンズ１８を保持する湾曲保持部１９を有する接写用補助レンズ部を備える。
【００２３】
（第３の実施の形態）
図５は、カメラ部を備える円筒部をヒンジ部の筺体の側壁側からプラグにより着脱可能にした携帯電話機の実施の形態を示す図である。本実施の形態は、携帯電話機に着脱可能なカメラ部２０を備える円筒部２１であって、ヒンジ部２７の一端側に、ヒンジ部２７のヒンジ軸と同じ軸の回りに回動可能にヒンジ部２７とコネクタ２２等により結合される構成を有し、円筒部２１の外周面の両端側には、リング状の回動操作部２３、２４と、前記回動操作部２３、２４の間に接写用補助レンズを保持する湾曲保持部２５とからなる接写用補助レンズ部２８を備える。本実施の形態では、円筒部２１を携帯電話機のヒンジ部２７に結合することにより、カメラ部２０により所望の角度の撮影が可能であるとともに、接写用補助レンズ部２８を円筒部２１に対して回動することにより接写を可能とする。
（第４の実施の形態）
図６は、カメラ部を備える円筒部に複数の接写用補助レンズを設けた実施の形態を示す図である。図６は円筒部の断面図を示しており、カメラ部３０を備える円筒部３１の外周面には、図示しないダイヤル状の２つの回動操作部を備え、２つの回動操作部の間にそれぞれ接写用補助レンズ８、９を保持した複数の湾曲保持部７３、７４を備え、複数の接写用補助レンズ８、９にはそれぞれの異なる距離の接写に応じた焦点距離のレンズが使用される。接写距離に応じて回動操作部を回動することにより所望の接写用補助レンズを選択することが可能である。
【００２４】
（他の実施の形態）
以上の実施の形態は、カメラ部を内蔵する円筒部を折り畳み携帯電話機のヒンジ構造に配置した構造を対象としたものを説明したが、本発明は携帯端末装置一般に適用可能であり、また、カメラ部を有する円筒部を備えるかぎり単一筺体で構成された携帯電話機等の携帯端末装置にも適用可能であることは明らかである。
【００２５】
更に、カメラ部を内蔵する円筒部に設ける接写用補助レンズ部は円筒の軸方向に２つのリング状の回動操作部を設ける代わりに１つの回動操作部により接写用レンズを保持する湾曲保持部を保持、回動するように構成することができる。この場合、回動操作部は、円筒部を回動するためのダイヤル状の操作部とは反対側にのみ設けるように構成することにより、円筒部及び接写用補助レンズ部を相対的に回動し易くすることができる。また、リング状の回動操作部は、円筒部の軸方向のずれを防止するために円筒部の外表面の円周上に回動操作部をガイドする溝、その他の構造を付加すると好適である。
【００２６】
また、以上の実施の形態における円筒部の取り付け位置、構成、回動操作部の取り付け位置、構成、及び接写用補助レンズ部の接写用補助レンズの個数等はそれぞれの全ての組合せが可能であることは云うまでもない。
【００２７】
【発明の効果】
本発明によれば、携帯電話機等の携帯端末装置のヒンジ部等に設置されたカメラ部を内蔵する円筒部の外周に回動可能な回動操作部を備える接写用補助レンズ部を設置しているので、別体の接写用レンズ体の持ち運び及び取り付け等の煩わしさがないのみならず、通常の撮影と接写とを簡単な操作により直ちに行えるという極めて便利な携帯端末装置を実現することが可能である。
【００２８】
本発明によれば、折り畳み型の携帯端末装置のカメラ部を内蔵するヒンジ部の回転可能な円筒部への適用により、折り畳み操作に支障がなく、円筒部の所望の角度での画像の撮影が可能であるとともに、また、同じ回転軸上で回転可能な回動操作部を備える接写用補助レンズ部の構成とすることにより、接写時のレンズユーザビリティーを向上させることができる。また、手動または電動にてピント調整を行う方式のような複雑なメカ構造も不要である。
【００２９】
更に、接写用補助レンズ部に複数の接写用補助レンズを設けるように構成することにより、被写体距離に応じた接写用補助レンズの簡易な選択操作により高精細な接写撮影を実現することが可能となる。
【図面の簡単な説明】
【図１】本発明の接写用補助レンズ取り付け構造の取り付け対象の携帯電話機の構成例を示す図である。
【図２】本発明の第１の実施の形態の構成を示す図である。
【図３】本実施の形態の携帯電話機により被写体を撮影する際の操作例を示す図である。
【図４】カメラ部を備える円筒部をヒンジ部の中央部に配置したヒンジ構造を有する携帯電話機に適用した第２の実施の形態を示す図である。
【図５】カメラ部を備える円筒部をヒンジ部の筺体の側壁側からプラグにより着脱可能にした携帯電話機に適用した第３の実施の形態を示す図である。
【図６】複数の接写用補助レンズを備える第４の実施の形態の円筒部の断面構造を示す図である。
【図７】従来例を示す図である。
【符号の説明】
１　第１の筺体部
２　第２の筺体部
３、１２、１３　ヒンジ部
４、１１　円筒部
５、１０　カメラ部
６、１４、１５　操作部
７　接写用補助レンズ部
８、９、１８　接写用補助レンズ
５１　透明なカバー
５３　撮像素子
５２　レンズ
５４　カメラモジュール
７１、７２　回動操作部
７３、７４　湾曲保持部
【図１】
2004129151.tif 000003
【図２】
2004129151.tif 000004
【図３】
2004129151.tif 000005
【図４】
2004129151.tif 000006
【図５】
2004129151.tif 000007
【図６】
2004129151.tif 000008
【図７】
2004129151.tif 000009